(57)【要約】【課題】  ガードレールを跨いで設置できるとともに、車両や歩行者の通行を妨げることのない工事用看板を提供する。【解決手段】  道路上に設置する折り畳み機能を備えた工事用看板であって、脚部と表示部とを備え、脚部は、一対の脚部板体によって形成されており、両脚部板体は第一ヒンジ部を軸に開閉可能であって、設置形態をとれるとともに、各脚部板体にはガードレールを挿入可能な溝が設けられている。【選択図】      図１
2020024305.tif 000002
【特許請求の範囲】
【請求項１】
道路上に設置する折り畳み機能を備えた工事用看板であって、脚部と表示部とを備え、脚部は、一対の脚部板体を有し、両脚部板体は第一ヒンジ部を軸に開閉可能であって設置形態をとれるとともに、各脚部板体にはガードレールを挿入可能な溝が設けられていることを特徴とする工事用看板。
【請求項２】
表示部は、一対の表示部板体を有しており、各表示部板体が第二ヒンジ部を軸に上方へと回動し、脚部の上方において保持された第一形態と、各表示部板体が第二ヒンジ部を軸に下方へと回動し、各脚部板体にそれぞれ重なるように係合した第二形態とを適宜選択可能であることを特徴とする請求項１記載の工事用看板。
【発明の詳細な説明】
【技術分野】
【０００１】
本発明は、道路状況を告知するための工事用看板に関するものである。
【背景技術】
【０００２】
工事用看板は、車道を走行する車輌の運転者や、歩道を歩く歩行者の通行の妨げとならないよう車道の端や歩道に設置される。しかし、歩道あるいは路肩と車道の境界にはガードレールが設けてある場合が多く、ガードレールの傍に工事用看板を設置すると、道幅の狭い道路では自動車や歩行者の通行スペースを狭めてしまい、通行の妨げとなる懸念があった。
【発明の概要】
【発明が解決しようとする課題】
【０００３】
本発明は上記課題に鑑みてなされたものであり、その目的とするところは、ガードレールを跨いで設置できるとともに、車両や歩行者の通行を妨げることのない工事用看板を提供することにある。
【課題を解決するための手段】
【０００４】
請求項１記載の工事用看板は、道路上に設置する折り畳み機能を備えた工事用看板であって、脚部と表示部とを備え、脚部は、一対の脚部板体によって形成されており、両脚部板体は第一ヒンジ部を軸に開閉可能であって設置形態をとれるとともに、両脚部板体にはガードレールを挿入可能な溝が設けられていることを特徴とする。
【０００５】
請求項２記載の工事用看板は、表示部は、一対の表示部板体を有しており、各表示部板体が第二ヒンジ部を軸に上方へと回動し、脚部の上方において保持された第一形態と、各表示部板体が第二ヒンジ部を軸に下方へと回動し、各脚部板体にそれぞれ重なるように係合した第二形態とを適宜選択可能であることを特徴とする。
【発明の効果】
【０００６】
請求項１記載の発明によれば、脚部板体に設けられた溝にガードレールを挿入することで工事用看板がガードレールを跨いで設置可能であるので、比較的道幅の狭い道路であっても車両や歩行者の通行スペースを狭めず、車両や歩行者が安全に道路を通行できる。さらに、ガードレールが溝に挟み込まれた状態となるため、風や振動等による工事用看板のがたつきや移動が軽減できる。
【０００７】
請求項２記載の発明によれば、表示部板体が回動し、脚部の上方において保持された第一形態と、脚部板体に重なった第二形態とを選択可能であるので、ガードレールのない場所においては工事用看板をその重心がより低くなる第二形態へと変形させることでより安定して設置することが可能であり、ガードレールの有無によって二種類の看板を用意する必要がなく、利便性に優れる。また、第二形態においては、各表示部板体が各脚部板体にそれぞれ重なるように係合することで、脚部板体の剛性が増し、また、表示部板体の前後方向の動きが規制されるので、より安定して設置できる。
【図面の簡単な説明】
【０００８】
【図１】工事用看板の溝にガードレールを挿入した状態を示す概略図である。
【図２】（ａ）は表示部板体が起立した状態、（ｂ）は表示部板体が脚部板体に重なった状態の工事用看板を示す斜視図である。
【図３】（ａ）は表示部板体が起立した状態、（ｂ）は表示部板体が脚部板体に重なった状態の工事用看板を示す側面図である。
【図４】表示部板体が脚部板体に重なった状態でロープにウェイトを取り付けた工事用看板を示す斜視図である。
【発明を実施するための形態】
【０００９】
以下、本発明の実施の形態を図面に基づいて説明する。以下の好ましい実施形態の説明は例示に過ぎず、本発明、その適用物あるいはその用途を制限することを意図するものではない。なお、以下において前後及び左右方向とは、図２に示す通りとする。
本実施形態による工事用看板は、図１乃至図４に示すように、二枚の脚部板体１１，１１が連結された脚部１と、二枚の表示部板体２１，２１を有する表示部２とから構成されている。
【００１０】
脚部１は、縦長略矩形状をなす二枚の脚部板体１１，１１を軸（第一ヒンジ部）１２，１２と軸受（第一ヒンジ部）１３，１３で開閉自在に連結したものである。脚部板体１１の上端縁にはさらに、表示部２を軸支する軸受部（第二ヒンジ部）１４，１４を左右に間隔を空けて設けてある。脚部板体１１は、軸１２，１２と軸受１３，１３、軸受部１４，１４と樹脂で一体成形してあり、軽量であることから、搬送時や設置作業の負担が軽減される。また、軸１２と軸受１３の対は、脚部板体１１の上端縁において左右に間隔をあけた二箇所に設けてあり、脚部板体１１，１１を安定して開閉することができる。そして、脚部板体１１，１１は、搬送時や保管時には二枚を閉じ合わせることができるので、嵩張らない。また、脚部板体１１は、下端部中央を切り欠いた溝１５を有していて、両脚部板体１１それぞれの溝１５，１５は前後に対向していて、ガードレールが下方から挿入される。溝１５の左右方向両側には、下端において路面に接地する脚１６，１６を互いに間隔を空けて有しており、工事用看板は両脚部板体１１の計４本の脚１６〜１６により自立する。また、脚１６の下端には、凸部１９が設けてあり、この凸部１９によって地面や積雪路面に食い込むことにより、設置時の安定性を高めることができる。そして、脚部板体１１は、溝１５の左右両側に、表示部２の表示部板体２１を脚部板体１１に重なる位置まで回動させた際に表示部２を保持するための係止部１７，１７を有している。係止部１７は、脚部板体１１の表面から突出した略角柱状部材であって、その先端の上面には、表示部板体２１の下端部が着脱自在に係止される凹部１７ａを有している。また、計４箇所の係止部１７の下方には、ロープ３を挿通することのできる孔１８をそれぞれ設けてある。溝１５にガードレールを挿入した状態において、ロープ３を左右の孔１８に挿通して左右の脚１６，１６が互いに連結されることで、工事用看板のガードレールからの抜け止めの役割を果たす。さらに、図４に示すように、一方の脚部板体１１と他方の脚部板体１１それぞれに挿通されたロープ３にウェイト４を架け渡したり、土嚢袋等を括り付けたりすることで、風の強い場所等、環境に合わせて工事用看板を安定して設置できる。
【００１１】
表示部２は、略矩形状をなす二枚の表示部板体２１から構成されている。各表示部板体２１は、その一辺に軸部（第二ヒンジ部）２２，２２を有していて、軸部２２は脚部１の軸受部１４に回動自在に軸支されている。なお、軸部２２，２２は、左右に間隔をあけた二箇所に設けてあり、表示部板体２１，２１は安定して回動することができる。また、各表示部板体２１の表面及び裏面には、表示シールを貼付する等により各種情報を表示する表示面２５，２６が設けられている。
第一形態として、脚部１の溝１５にガードレールを挿入して工事用看板を使用する場合には、図１，図２（ａ）及び図３（ａ）に示すように、表示部板体２１，２１は起立状態で、且つその上端部が重なり合った状態で保持されている。なお、該保持の方法は、表示部板体２１の上部の左右両端部においてそれぞれ設けられている、ギボシ状の係合凸部２３と、前記係合凸部２３が抜き差し自在に挿入係止される環状の係止孔２４が、両表示部板体２１，２１間で互いに係合することによるものである。
一方、第二形態として、ガードレールのない場所において工事用看板を使用する場合には、図２（ｂ），図３（ｂ）及び図４に示すように、表示部板体２１，２１を、軸部２２，２２を中心に脚部１の板体に重なる位置まで回動させた状態で使用する。このとき、表示部板体２１の下端部は、脚部１の脚部板体１１の係止部１７の凹部１７ａに係合することによって前後方向の動きを規制される。
【００１２】
次いで、本発明の工事用看板の構成による作用および効果について説明する。
本発明の工事用看板は、脚部１の脚部板体１１に設けられた溝１５にガードレールを挿入することでガードレールを跨いで設置可能であるので、比較的道幅の狭い道路であっても車両や歩行者の通行スペースを可能な限り狭めずに済み、車両や歩行者が安全に道路を通行できる。さらに、ガードレールが溝１５に挿入されることで、ガードレールを脚１６によって左右両側から挟み込んだ状態となるため、工事用看板の左右方向の動きが規制され、風や振動等によるがたつきや移動が軽減できる。また、表示部板体２１が脚部板体１１にそれぞれ重なる位置まで回動可能であるので、ガードレールのない場所においては工事用看板をその重心がより低くなるよう第二形態へと変形させることでより安定して設置することが可能であり、ガードレールの有無によって二種類の看板を用意する必要がなく、利便性に優れる。さらに、脚部板体１１は溝１５によって左右に分断された二股形状であるが、第二形態においては両表示部板体２１が両脚部板体１１にそれぞれ重なるように、表示部板体２１の下端部が脚部板体１１の係止部１７の凹部１７ａに係合することで、脚部板体の剛性が増し、また、表示部板体２１の前後方向の動きが規制されるので、表示部板体２１は風や振動によって脚部板体１１から浮き上がることなくその位置を保持でき、工事用看板をより安定して設置可能である。
【００１３】
本発明の工事予告看板は、特許請求の範囲内であれば、適宜変更することができる。例えば、脚部及び表示部を構成する板体及び表示板は、上記実施形態では縦長矩形状のものであったが、道路に設置したときに、車両や歩行者の通行の妨げとならない形状であれば限定されるものではない。
【符号の説明】
【００１４】
１    脚部
１１  脚部板体
１２  軸（第一ヒンジ部）
１３  軸受（第一ヒンジ部）
１４  軸受部（第二ヒンジ部）
１５  溝
２    表示部
２１  表示部板体
２２  軸部（第二ヒンジ部）
【図１】
2020024305.tif 000003
【図２】
2020024305.tif 000004
【図３】
2020024305.tif 000005
【図４】
2020024305.tif 000006